(57)【要約】      （修正有）【課題】多用途の対話式カードを提供する。【解決手段】基板と、回転盤と、中軸とを備える。基板は薄板であり、一表面にメッセージを伝達する情報が印刷され、もう一つの表面に中軸を備える。回転盤は複数層を重ね合わせてなり、各層の回転盤の平面上に軸穴をそれぞれ設け、軸穴の直径は中軸の直径に対応され、軸穴を中軸に嵌装することによって回転盤は回転自在であり、各層の回転盤を層に分けて基板の中軸に嵌装した後に、各層の回転盤の軸穴を中軸に嵌装する。【選択図】図５
0003165807.tif 000002
【実用新案登録請求の範囲】
【請求項１】
基板と、少なくとも一組の回転盤と、中軸とを備えた多用途対話式カードであって、
前記基板は薄板であり、前記の一表面にメッセージを伝達する情報が印刷され、前記基板もう一つの表面に中軸を備え、
前記回転盤は複数層の前記回転盤を重ね合わせてなり、各層の前記回転盤の平面上に軸穴をそれぞれ設け、前記軸穴の直径は前記中軸の直径に対応され、前記軸穴を前記中軸に嵌装することによって回転盤は回転自在であり、
各層の前記回転盤を層に分けて前記基板の前記中軸に嵌装した後に、各層の前記回転盤の前記軸穴を前記中軸に嵌装することを特徴とする多用途対話式カード。
【請求項２】
各層の前記回転盤に覗き窓が設けられ、その上層の覗き窓に図式と符号を設けられ、前記図式と符号は前記軸穴を中心として輪状に配列されており、下の層の図式と符号は前記覗き窓より視認できることを特徴とする請求項１記載の多用途対話式カード。
【請求項３】
各組の前記回転盤は覗き窓層とデータ層とを備え、前記覗き窓の上部表面に前記覗き窓を有し、データ層は上の層に印刷された表示図式と符号に対応し、前記覗き窓より次の層の回転盤を視認でき、
各組の前記回転盤の前記覗き窓とデータ層は間隔を置いて前記基板の前記基板の前記中軸に配列させ、各層の前記回転盤の前記軸穴を前記中軸に嵌装することを特徴とする請求項１記載の多用途対話式カード。
【請求項４】
各組の前記回転盤の平面上に前記覗き窓を備え、かつ同一の平面上に前記図式と符号を設けられ、前記図式と符号は前記軸穴を中心として輪状に配列され、上の層にそれぞれ対応することを特徴とする請求項１記載の多用途対話式カード。
【請求項５】
前記対話式カードは複数組の回転盤を組合せて構成することを特徴とする請求項２、３、４のいずれか記載の多用途対話式カード。
【請求項６】
前記対話式カードがキーチェンと組み合わせて使用され、基板は前記キーチェンに結合されることを特徴とする請求項２、３、４のいずれか記載の多用途対話式カード。
【請求項７】
軸カラーをさらに含み、前記軸カラーは前記中軸に嵌装され、上部の面積は底部の面積より大きく、他の部品の抜け出しが防止されることを特徴とする請求項１記載の多用途対話式カード。
【請求項８】
前記覗き窓は貫通穴または透明部材より形成する透明区域または指針の一種であることを特徴とする請求項２、３、４のいずれか一項に記載の多用途対話式カード。
【請求項９】
前記基板は半折りの状態であり、前記基板は磁性物質を含み、半折りしたときは互いに吸着可能に構成したことを特徴とする請求項１乃至４のいずれか一項に記載の多用途対話式カード。
【請求項１０】
前記中軸と対応の軸穴は歯車による噛合回転形態であることを特徴とする請求項１記載の多用途対話式カード。
【請求項１１】
基板と、少なくとも一組の回転盤と、支軸と、軸穴と、取付リングとを備えた多用途対話式カードであって、
前記基板は薄板からなり、前記基板の一表面に他の部品と結合するための連結部を設けられ、前記基板もう一つの表面に伝達したいメッセージ情報が印刷され、
複数組の前記回転盤は、それぞれ上部層と、中間層と、底層の前記回転盤より重ね合わせてなり、前記回転盤は略円形を形成し、前記底層の前記回転盤の一表面は中間位置に前記支軸を凸設され、前記支軸は他の層の前記回転盤の嵌設に備えられ、
中間層の前記回転盤の平面上に前記軸穴をそれぞれ設け、前記軸穴の直径は対応の前記支軸の直径に対応され、かつ前記軸穴を前記支軸に嵌設することによって、前記第１層の前記回転盤を前記支軸に固定することができ、前記第１層の前記回転盤の面積は前記支軸の面積より大きいため、前記回転盤は回転自在であり、
前記取付リングは略円盤状を形成し、両側は固定足を対称的に凸設され、前記取付リングを前記第１層の前記回転盤に挿入し、前記固定足を前記底層の回転盤に貫設した上、前記固定足を折り曲げて前記基板に貼り付けさせ、前記第１層の前記回転盤を固定しておき、他の部品の抜け出しを防止することを特徴とする多用途対話式カード。
【請求項１２】
前記回転盤組各層の前記回転盤の平面上に図式と符号がそれぞれ設けられ、前記図式と符号は前記支軸を中心として輪状に配列されていることを特徴とする請求項１１記載の多用途対話式カード。
【請求項１３】
万年暦と結合された多機能応用の方式であることを特徴とする請求項１１記載の多用途対話式カード。
【請求項１４】
前記取付リングは金属ワイヤーまたはエナメル線のいずれからなることを特徴とする請求項１１記載の多用途対話式カード。
【考案の詳細な説明】
【技術分野】
【０００１】
本考案は一種のカードに関し、特に正面は一般カードとして使用でき、背面はしおり、ラベル等の記録に使用できる多用途の対話式カードに関する。
【背景技術】
【０００２】
公知のカードの多くはカードホルダーまたは名刺に変化が施されている。
【考案の概要】
【考案が解決しようとする課題】
【０００３】
しかし、公知のカードは提供される機能が便利とはいえず、構造上さらなる変化を追加する必要がある。
よって、名刺用途と記憶補助機能を持つ他に、カードホルダーと名刺機能と効果が結合した多機能カードを提供できれば、より多くの実用性を増やすことができる。
【０００４】
本考案の主な目的は、前述した公知技術の問題を解決することである。
【課題を解決するための手段】
【０００５】
本考案に係る多用途の対話式カードは、基板と、少なくとも一組の回転盤と、中軸とを備えた多用途対話式カードであって、前記基板は薄板であり、前記の一表面にメッセージを伝達する情報が印刷され、前記基板もう一つの表面に中軸を備え、前記回転盤は複数層の前記回転盤を重ね合わせてなり、各層の前記回転盤の平面上に軸穴をそれぞれ設け、前記軸穴の直径は前記中軸の直径に対応され、前記軸穴を前記中軸に嵌装することによって回転盤は回転自在であり、各層の前記回転盤を層に分けて前記基板の前記中軸に嵌装した後に、各層の前記回転盤の前記軸穴を前記中軸に嵌装する。
【考案の効果】
【０００６】
本考案に係る多用途の対話式カードは、例えば、レストランの料理メニュー、キーチェン、ＩＣカードまたは多種のカード等のように他の物品と結合することで、実用性を向上できる。
さらに、趣味性を有し、かつ記憶の補助機能および広告効果を備えた多用途の対話式カードを提供することができる。
【図面の簡単な説明】
【０００７】
【図１Ａ】本考案に係る基板の一平面と軸カラーを示す図である。
【図１Ｂ】本考案に係る基板もう一つの平面を示す図である。
【図２Ａ】本考案に係る一組の回転盤の第１層を示す図（その一）である。
【図２Ｂ】本考案に係る一組の回転盤の第２層を示す図（その一）である。
【図２Ｃ】本考案に係る一組の回転盤の第３層を示す図（その一）である。
【図２Ｄ】本考案に係る一組の回転盤の第４層を示す図（その一）である。
【図３Ａ】本考案に係る一組の回転盤の第１層を示す図（その二）である。
【図３Ｂ】本考案に係る一組の回転盤の第２層を示す図（その二）である。
【図３Ｃ】本考案に係る一組の回転盤の第３層を示す図（その二）である。
【図３Ｄ】本考案に係る一組の回転盤の第４層を示す図（その二）である。
【図４Ａ】本考案に係る一組の回転盤の第１層を示す図（その三）である。
【図４Ｂ】本考案に係る一組の回転盤の第２層を示す図（その三）である。
【図４Ｃ】本考案に係る一組の回転盤の第３層を示す図（その三）である。
【図４Ｄ】本考案に係る一組の回転盤の第４層を示す図（その三）である。
【図５】本考案の応用図を示し、料理メニューを選択メニューとして使用されている。
【図６Ａ】本考案に係る一組の回転盤の第１層の図式と符号を示す図である。
【図６Ｂ】本考案に係る一組の回転盤の第２層の図式と符号を示す図である。
【図６Ｃ】本考案に係る一組の回転盤の第３層の図式と符号を示す図である。
【図６Ｄ】本考案に係る一組の回転盤の第４層の図式と符号を示す図である。
【図６Ｅ】本考案の基板を示す図である。
【図７】本考案をキーチェーンに応用した例を示す図である。
【図８】本考案の応用図であり、基板を折り畳んだ状態を示す。
【図９】本考案の実施例３の概略図であり、万年暦の多機能カードと結合された形態を示す。
【図１０】本考案の実施例３の構造を示す図である。
【図１１】本考案の実施例３の立体図である。
【考案を実施するための形態】
【０００８】
以下に図面を参照しながら本考案の実施例について詳しく説明する。
【実施例】
【０００９】
図１Ａ乃至図８に本考案に係る多用途の対話式カードの一例を示す。
本例に係る対話式カードは、主に記憶の補助、またはラベル等に代わる機能を有するもので、その適用範囲はきわめて広汎である。
【００１０】
本考案に係る多用途の対話式カードは、主に薄板からなる基板１を有し、基板１の一表面に伝達されるメッセージの情報を印刷されている。
基板１はもう一つの表面（裏面）に複数の中軸１１を有する。中軸１１は他の素子を嵌設して使用できる（図１Ａ参照）。
中軸１１は基板１をダイカスト成形するか、または基板１と合わせて基板１上に単独で取り付けるコンポーネントであってもよい。
【００１１】
図５に示すように、基板１は複数組の回転盤２を具備する。
各組の回転盤２は４層の回転盤からなる。
すなわち、回転盤２は図２Ａ〜Ｄに示す第１層１２と、第２層１４と、第３層１６と底層１８の回転盤を重ね合わせてなる。
回転盤２は略円形を形成し、各層の回転盤の平面に軸穴２０を設けられている。
軸穴２０の径は対応するの中軸１１の径に同じで、かつ軸穴２０は中軸１１に嵌合することによって、回転盤２が回転可能となっている。
【００１２】
取扱性と利便性をよくするため、上層の面積はその次の層の面積より小さいか、または等しく配置することがこの好ましい。
【００１３】
基板１はさらに軸カラー３を備える。
この軸カラー３は中軸１１に嵌合するか、接着、或いは縫製加工等を行って、上部の面積が底部の面積をやや大きくすることで、他の部品の脱落を防止できる（図１Ａを参照）。
【００１４】
本考案に係る対話式カードを組み立てるときには、回転盤を層に分けて基板１から延設された中軸１１に嵌設し、各層の回転盤の軸穴２０を中軸１１に合わせて嵌合する。
最後に、軸カラー３を中軸１１に嵌装（接着または縫製）すればよい。
軸カラー３の上部の面積が底部より大きいため、回転盤３は落ちることなく、中軸１１に沿って回転できる。
【００１５】
図８を参照して説明する。基板１は半折状態にすることができる。
基板１の部材に磁性物質（例えば、磁石、磁粉等）を予め付設して磁性をもたせておき、基板１を半折りしたとき互いに吸着し得るようにしてもよい。
【００１６】
回転盤は２つの配置方法がある。
【００１７】
＜イ＞第１層１２と第３層１６の回転盤の上面に覗き窓２２が設けられ、かつ第２層１４と底層１８はそれぞれ上部層の覗き窓を所定の表示データが印刷された箇所に対応させ、覗き窓２２を通じて次の層の回転盤の表示データを見ることができる。
図２Ａ〜２Ｄに例示した回転盤の第２層１４と底層１８の平面上に図式と符号１１１（例えば、テーブル番号、レストランの料理メニュー写真、調味料の写真等）が印刷されており、かつ図式と符号１１１は軸穴２０を中心として輪状に配列されている。
【００１８】
＜ロ＞その回転盤ユニットにおいて、各層の回転盤の平面上に覗き窓２２が設けられ、かつ同一平面上に図式と符号１１１を設けられている。
図式と符号１１１は軸穴２０を中心として輪状に配列されている（図６Ａ〜６Ｅを参照）。
【００１９】
本考案に係る回転盤の２つの配置方法について、それぞれに実施例と合わせて以下のに詳細に説明する。
【００２０】
図２Ａ乃至４Ｄを参照して説明する。
本考案の実施例１に係る多用途対話式カードにおいては、第１種の配置方法を使用して、選択メニューが例えば料理メニューに適用できる。
３組の回転盤が組合せされて料理メニューに設計されていて、料理の分類に使用されている。
【００２１】
続いて、図５を参照して説明する。
本実例においては、客が本考案を適用した料理メニューを基に食事を注文することができる。
すなわち、第１種の回転盤の覗き窓を自らの好みの料理に回した後、第３層の回転盤を希望の料理に組み合わせたい調味料に回すことによって、簡単に、しかも興味深い食事の注文をすることができる。
【００２２】
図６Ａ乃至図７を参照して実施例２を説明する。
本実施例２に係る多用途対話式カードにおいては、第２種の配置方法を使用する。
本実施例では多用途対話式カードをキーチェンに適用している。
基板１をキーチェン１００と一体に結合させて使用する。本実施例では、多用途対話式カードを例えば駐車位置、保管ロッカーの番号や位置、或いはＣＤ／ＶＣＤ／ＤＶＤの歌曲や映画のチャプター番号の記憶補助機能として使用することかできる。
そのうち、第１層１２、第２層１４、第３層１６の回転盤に印刷された図式と符号１１１はアラビア数字の０〜９であり、底層１８に印刷された図式と符号１１１は英語アルファベットのＡ〜Ｚである。
同じ基板の平面上に図式と符号１１１を追加し中軸１１を中心にして輪状に配列されている。
そのうち、図式と符号は階層の表示区域であり、それぞれ１Ｆ〜６ＦとＢ１〜Ｂ６が表示されている。
【００２３】
キーチェンと結合した本実施例では、例えば、車を地下１階Ｅゾーン１０１号の位置に駐車した場合（図７を参照）、利用者はまず底層の回転盤１８をＢ１に回した後に第３層の回転盤１６をＥに回して、各層の回転盤は順番に１、０、１に回した後に、車の駐車位置が分かる。
駐車区域が大きいため、駐車位置を忘れたときでも、方々に車を探すことを回避することができる。
【００２４】
本考案では既述した図式や符号１１１の表記を多種の符号に変更してもよい。
図式と符号１１１は、例えば星座符号、矢印、ローマ字符号、アルファベット、各種の文字または図案等で表示することができる。
【００２５】
覗き窓は、パンチ孔、または透明部材より構成してもよく、或いはこれらに類似するものを代用してもよい。
【００２６】
図９に本考案実施例３の応用例を示す。
本実施例においては、万年暦と結合した応用例を示す。
そのうち、底層の回転盤の図式と符号１１１’は数字１〜３１であり、日付として使用する。第３層の回転盤の図式と符号１１１’はそれぞれ文字の日、月、火、水、木、金、土による週間の曜日に対応して輪状に繰り返し配列して置き、第２種の回転盤の図式と符号１１１’は月を表す数字０〜１２とし、または他の図案または符号（例えば、矢印、星印、階層番号Ｂ１〜Ｂ４等は、特別注記に使用する）としてもよい。
これにより、使用者は第３層の回転盤を底層の回転盤の日付に対応させることで、その月の日付を底層の回転盤に対応することができる。
このほか、特に思い出したい期日があるとき、使用者は第２層または第３層の回転盤より適合するように図式と符号を選択して記憶したい第２層の回転盤を回して、日付または時間とを互いに対応させる。これにより、使用者は重要事項を忘れることなく、いつにどのような注記事項があるかを知ることができる。
【００２７】
図１０と図１１に本考案に係る多用途の対話式カードを示す。
本例に係る参多用途の対話式カードは、記憶の補助、又はラベル等に代わる機能を有するため、その適用範囲はとても幅広いものとなる。
【００２８】
本考案に係る多用途の対話式カードは基板１’を有する。
この基板１’は薄板からなり、基板１’の一表面に他の部品と結合するための連結部を設けられ、基板１’もう一つの表面に伝達したいメッセージ情報が印刷されている。
【００２９】
本考案に係る多用途の対話式カードは複数組の回転盤２’を有する。
各組の回転盤は複数層の回転盤を重ね合わせてなる。
それぞれ第２層１４’、第３層１６’と底層１８’の回転盤より重ね合わせてなる。
回転盤は略円形を形成し、底層１８’の回転盤の一表面は中間位置に支軸１８０’を凸設され、支軸１８０’は他の層の回転盤の嵌設に備える。
【００３０】
前記第２層１４’と第３層１６’の回転盤の平面上には軸穴２０をそれぞれ設ける。
軸穴２０の直径は対応の支軸１８０’の直径に対応され、かつ軸穴２０を支軸１８０’に嵌設することによって、第１層１２’の回転盤を支軸１８０’に固定することができる。
第１層の回転盤の面積は支軸１８０’の面積より大きいため、回転盤は支軸を中心として回転自在である（図１０を参照）。
【００３１】
取扱生徒利便性をよくするため、上層の面積はその次の層の面積より小さいか、又は等しく配置することがこの好ましい。
【００３２】
本考案に係る多用途の対話式カードは取付リング３０’を有する。
取付リング３０’は略円盤状を呈する。取付リング３０’の両側は固定足３０１’を対称的に突設されている。
取付リング３０’を第１層の回転盤に挿入し、固定足３０１’を底層１８’の回転盤に貫設した上、固定足３０１’を折り曲げて基板に貼り付けさせて、第１層１２’の回転盤を固定しておくと、他の部品の抜け出しを防止できる。
【００３３】
取付リング３０’は金属ワイヤーまたはエナメル線からなる。
【００３４】
図１０を参照して説明する。
本考案に係る多用途の対話式カードを組み立てるときには、回転盤を層に分けて底層１８’の回転盤より延設された支軸１８０’に嵌装し、各層の回転盤の軸穴２０’を支軸１８０’に合わせて嵌入する。
底層１８’の回転盤もう一つの表面を基板１’接着させ、最後に取付リング３を第２層１４’の回転盤に挿入し、固定足を基板に通した後固定足３０１’を折り曲げて基板の底部に張り付けておく。これにより、回転盤は落ちることなく、支軸１８０’に沿って回転できる。
【００３５】
本実施例においては、各組の回転盤の平面に図式と符号１１１’が設けられ、かつ図式と符号１１１’は支軸１８０’を中心として輪状に配列されている。
【００３６】
本実施例において、支軸と各層の回転盤は歯車の噛合方式によって回転することができる。
支軸はさらに外部歯車と、各層の回転盤に備える軸穴の内縁に対応の内部歯車をそれぞれ設けられておいる。各層の回転盤と支軸とを噛合することで、各層の回転盤を滑ることなく確実で順調に操作できる。
【００３７】
前記した詳細な説明の記載は、本考案の実施例について説明するものである。ただし、該実施例は本考案になんらの制限を加わるものではない。本考案の技術精神に基づく等効果の応用又は変更は、すべて本考案の実用新案登録請求範囲に含むものである。
【符号の説明】
【００３８】
１            基板
１’            基板
２            回転盤
２’            回転盤
３            軸カラー
１１            中軸
１１            軸穴
１２            第１層
１２’            第１層
１４            第２層
１４’            第２層
１６            第３層
１６’            第３層
１８            底層
１８’            底層
２０            軸穴
２２            覗き窓
３０’            取付リング
１００            キーチェン
１１１            図式と符号
１１１’          図式と符号
１８０’          支軸
３０１’          固定足
【図１Ａ】
0003165807.tif 000003
【図１Ｂ】
0003165807.tif 000004
【図２Ａ】
0003165807.tif 000005
【図２Ｂ】
0003165807.tif 000006
【図２Ｃ】
0003165807.tif 000007
【図２Ｄ】
0003165807.tif 000008
【図３Ａ】
0003165807.tif 000009
【図３Ｂ】
0003165807.tif 000010
【図３Ｃ】
0003165807.tif 000011
【図３Ｄ】
0003165807.tif 000012
【図４Ａ】
0003165807.tif 000013
【図４Ｂ】
0003165807.tif 000014
【図４Ｃ】
0003165807.tif 000015
【図４Ｄ】
0003165807.tif 000016
【図５】
0003165807.tif 000017
【図６Ａ】
0003165807.tif 000018
【図６Ｂ】
0003165807.tif 000019
【図６Ｃ】
0003165807.tif 000020
【図６Ｄ】
0003165807.tif 000021
【図６Ｅ】
0003165807.tif 000022
【図７】
0003165807.tif 000023
【図８】
0003165807.tif 000024
【図９】
0003165807.tif 000025
【図１０】
0003165807.tif 000026
【図１１】
0003165807.tif 000027
【手続補正書】
【提出日】平成22年11月26日(2010.11.26)
【手続補正１】
【補正対象書類名】実用新案登録請求の範囲
【補正対象項目名】請求項１
【補正方法】変更
【補正の内容】
【請求項１】
基板と、少なくとも一組の回転盤と、中軸とを備えた多用途対話式カードであって、
前記基板は薄板であり、前記基板の一表面にメッセージを伝達する情報が印刷され、前記基板のもう一つの表面に中軸を備え、
前記回転盤は複数層の前記回転盤を重ね合わせてなり、各層の前記回転盤の平面上に軸穴をそれぞれ設け、前記軸穴の直径は前記中軸の直径に対応され、前記軸穴を前記中軸に嵌装することによって回転盤は回転自在であり、
各層の前記回転盤を層に分けて前記基板の前記中軸に嵌装した後に、各層の前記回転盤の前記軸穴を前記中軸に嵌装することを特徴とする多用途対話式カード。
【手続補正２】
【補正対象書類名】実用新案登録請求の範囲
【補正対象項目名】請求項３
【補正方法】変更
【補正の内容】
【請求項３】
各組の前記回転盤は覗き窓層とデータ層とを備え、前記覗き窓層の上部表面に覗き窓を有し、データ層は上の層に印刷された表示図式と符号に対応し、前記覗き窓より次の層の回転盤を視認でき、
各組の前記回転盤の前記覗き窓とデータ層は間隔を置いて前記基板の前記基板の前記中軸に配列させ、各層の前記回転盤の前記軸穴を前記中軸に嵌装することを特徴とする請求項１記載の多用途対話式カード。
【手続補正３】
【補正対象書類名】実用新案登録請求の範囲
【補正対象項目名】請求項４
【補正方法】変更
【補正の内容】
【請求項４】
各組の前記回転盤の平面上に前記覗き窓を備え、かつ同一の平面上に図式と符号を設けられ、前記図式と符号は前記軸穴を中心として輪状に配列され、上の層にそれぞれ対応することを特徴とする請求項１記載の多用途対話式カード。
【手続補正４】
【補正対象書類名】明細書
【補正対象項目名】０００５
【補正方法】変更
【補正の内容】
【０００５】
本考案に係る多用途の対話式カードは、基板と、少なくとも一組の回転盤と、中軸とを備えた多用途対話式カードであって、前記基板は薄板であり、前記基板の一表面にメッセージを伝達する情報が印刷され、前記基板のもう一つの表面に中軸を備え、前記回転盤は複数層の前記回転盤を重ね合わせてなり、各層の前記回転盤の平面上に軸穴をそれぞれ設け、前記軸穴の直径は前記中軸の直径に対応され、前記軸穴を前記中軸に嵌装することによって回転盤は回転自在であり、各層の前記回転盤を層に分けて前記基板の前記中軸に嵌装した後に、各層の前記回転盤の前記軸穴を前記中軸に嵌装する。